(57)【要約】【課題】  複数の使用者が同じ映像記録再生装置を使用する場合、ある使用者が録画したコンテンツは、その録画した使用者本人のみが再生可能なように設定するか、又は使用者全員が再生可能なように設定するかの選択しかできず、より詳細な再生管理ができなかった。【解決手段】  ハードディスク１３４にコンテンツ（Ａ）１３５を録画したコンテンツ（Ａ）録画者１２５が、そのコンテンツ（Ａ）１３５を再生することが可能な登録者を示すコンテンツ（Ａ）再生可能者１２８を設定することで、より詳細なコンテンツ（Ａ）１３５の再生管理を行う。【選択図】  図１
2005332457.tif 000002
【特許請求の範囲】
【請求項１】
映像を記録及び再生する映像記録再生装置を使用する者を示す使用者と、該使用者を認証するための使用者認証情報とを記憶した取り外し可能な記憶媒体を、前記映像記録再生装置に接続するステップと、
前記使用者と、前記映像記録再生装置に予め登録され前記映像記録再生装置を使用することができる者を示す登録者とを比較判定するとともに、前記使用者認証情報と、前記映像記録再生装置に予め登録され前記登録者を認証するための登録者認証情報とを比較判定するステップと、
前記比較判定により、前記使用者と前記登録者とが一致し、さらに前記使用者認証情報と前記登録者認証情報とが一致した場合には、前記使用者に対して前記映像記録再生装置の使用を許可する一方、前記比較結果が不一致の場合には、前記使用者に対して前記映像記録再生装置の使用を許可しないようにするステップとを備えることを特徴とする映像記録再生方法。
【請求項２】
請求項１に記載された映像記録再生方法において、
前記使用者が録画したコンテンツに関連付けて、前記コンテンツを再生することが可能な前記登録者を示すコンテンツ再生可能者として前記使用者を設定するステップと、
前記使用者が再生可能な前記コンテンツを選択して、前記コンテンツに関連付けられている録画日時、コンテンツ名、及び録画モードを少なくとも含む再生可能コンテンツ一覧を表示するステップと、
前記表示された再生可能コンテンツ一覧の中から、前記使用者が録画した前記コンテンツを選択し、前記コンテンツに対して他の登録者をコンテンツ再生可能者として設定するステップと、
前記使用者が再生可能な前記コンテンツに関連付けられている前記コンテンツ再生可能者の中から、前記使用者自身を削除するステップとをさらに備えることを特徴とする映像記録再生方法。
【請求項３】
請求項２に記載された映像記録再生方法において、
前記コンテンツの容量を、前記コンテンツ再生可能者の人数で割り算して均等化するステップと、
前記均等化したコンテンツ容量を、前記コンテンツ再生可能者として設定された前記登録者が使用可能な記録媒体の容量を示す登録者使用容量に対してそれぞれ割り当てるステップとをさらに備えることを特徴とする映像記録再生方法。
【請求項４】
請求項３に記載された映像記録再生方法において、
前記コンテンツ再生可能者が、前記コンテンツの蓄積されている領域の中でどの部分を再生したかを示すコンテンツ再生履歴情報を設定するステップと、
前記コンテンツ再生履歴情報を、前記再生可能コンテンツ一覧の中に含めて表示するステップとをさらに備えることを特徴とする映像記録再生方法。
【請求項５】
請求項４に記載された映像記録再生方法において、
前記記録媒体の空き容量がしきい値以下になったときに、前記コンテンツ再生可能者全員が再生済みのコンテンツを前記コンテンツ再生履歴情報から抽出して、前記抽出されたコンテンツを自動的に削除するステップをさらに備えることを特徴とする映像記録再生方法。
【請求項６】
請求項５に記載された映像記録再生方法において、
前記記録媒体の空き容量がしきい値以下になったときに、前記コンテンツ再生可能者全員が再生済みのコンテンツを前記コンテンツ再生履歴情報から抽出して、前記抽出されたコンテンツを自動的に異なる記録媒体に移動するステップをさらに備えることを特徴とする映像記録再生方法。
【発明の詳細な説明】
【技術分野】
【０００１】
本発明は、映像記録再生装置を複数の異なる使用者が使用するときの映像記録再生方法に関するものである。
【背景技術】
【０００２】
従来の映像記録再生装置として、特許文献１には、複数の使用者の各個人が記録したコンテンツを他の使用者が表示、改竄、及び消去できないようにしたものが開示されている。また、非特許文献１には、記録したコンテンツをフォルダに分類して管理するものが開示されている。
【０００３】
さらに、ハードディスクの空き領域が一定量以下に達した場合に、記録済みデータのうち古い順に自動的に削除して空き領域を確保してから記録するもの（例えば、特許文献２参照）や、使用者が記録した映像情報の保存状況を設定できるもの（例えば、特許文献３参照）など、さまざまな機能を有するものが開発されている。
【０００４】
図１１は、従来の映像記録再生装置のブロック図である。図１１において、３０１は指令入力部、３０２は映像入力部、３０３はエンコーダ部、３０４は制御部、３０５はデコーダ部、３０６は映像出力部、３０７は記憶部、３０８は使用者、３０９は不揮発性記憶部、３１０は登録者（１）、３１１は登録者（１）認証情報、３１２は登録者（１）使用可能容量、３１３は登録者（１）暗号鍵情報、３１４は登録者（２）、３１５は登録者（２）認証情報、３１６は登録者（２）使用可能容量、３１７は登録者（２）暗号鍵情報、３１８は登録者（Ｎ）、３１９は登録者（Ｎ）認証情報、３２０は登録者（Ｎ）使用可能容量、３２１は登録者（Ｎ）暗号鍵情報、３２２は登録者（１）使用容量、３２３は登録者（２）使用容量、３２４は登録者（Ｎ）使用容量、３２５はハードディスク、３２６はコンテンツ（Ａ）、３２７はコンテンツ（Ｂ）、３２８はコンテンツ（Ｎ）、３２９は光ディスクである。
【０００５】
前記制御部３０４は、前記不揮発性記憶部３０９に記憶されているプログラムに従って、前記指令入力部３０１、映像入力部３０２、エンコーダ部３０３、デコーダ部３０５、映像出力部３０６、記憶部３０７、不揮発性記憶部３０９、ハードディスク３２５、及び光ディスク３２９の制御を行う。
【０００６】
前記映像記録再生装置における映像記録処理は、外部機器から映像入力部３０２を通して入力されるアナログ映像信号をエンコーダ部３０３にてＭＰＥＧ２形式のデジタル映像信号に変換し、ハードディスク３２５にコンテンツとして蓄積することにより行う。
【０００７】
そして、映像再生処理は、ハードディスク３２５に蓄積されているＭＰＥＧ２形式のデジタル映像信号であるコンテンツをデコーダ部３０５にてアナログ映像信号に変換し、映像出力部３０６を通して外部機器に出力することにより行う。
【０００８】
さらに、映像ダビング処理は、ハードディスク３２５に蓄積されたコンテンツを光ディスク３２９に複製又は移動することにより行う。
【０００９】
また、各種データ設定処理は、リモコンを用いて行い、指令入力部３０１を通して入力される使用者３０８の情報を記憶部３０７に記憶し、さらに登録者（１）３１０、登録者（１）認証情報３１１、登録者（１）使用可能容量３１２、登録者（２）３１４、登録者（２）認証情報３１５、登録者（２）使用可能容量３１６、登録者（Ｎ）３１８、登録者（Ｎ）認証情報３１９、及び登録者（Ｎ）使用可能容量３２０を不揮発性記憶部３０９に記憶することにより行う。
【００１０】
上記のように構成された映像記録再生装置の動作を図１２に示すフローチャートに基づいて説明する。
【００１１】
図１２において、電源投入後のステップＳ４０１で、使用者が初期設定を行うかどうかを選択する。ステップＳ４０１で使用者が初期設定を行う場合には、ステップＳ４０２に分岐して、ステップＳ４０２で、使用者からリモコンを通して入力された、機器を使用することが可能な人間を特定する登録者と、その登録者を認証するのに使用する登録者認証情報と、その使用者が使用可能な容量を定める登録者使用可能容量とを記憶する。
【００１２】
また、ステップＳ４０１で使用者が初期設定を行わない場合には、ステップＳ４０４に分岐して使用者認証待ち状態になる。
【００１３】
そして、ステップＳ４０３で、各登録者に関連付けられた登録者暗号鍵情報を算出し登録者暗号鍵情報として記憶する。続いて、ステップＳ４０４で、使用者が本人の情報（使用者、使用者認証情報）をリモコンで入力したときに、その使用者が登録者であると認証されなければ、再び使用者認証待ち状態になる。
【００１４】
ステップＳ４０４で使用者が登録者であると認証された場合には、ステップＳ４０５で録画モード処理を行うか否かを判定する。ステップＳ４０５での判定が「ＹＥＳ」の場合には、図１４に示すステップＳ４１０に分岐する。ステップＳ４０５での判定が「ＮＯ」の場合には、ステップＳ４０６に分岐する。
【００１５】
次に、ステップＳ４０６で、再生可能コンテンツ一覧表示モード処理を行うか否かを判定する。ステップＳ４０６での判定が「ＹＥＳ」の場合には、図１５に示すステップＳ４１５に分岐する。ステップＳ４０６での判定が「ＮＯ」の場合には、ステップＳ４０７に分岐する。
【００１６】
そして、ステップＳ４０７で、再生モード処理を行うか否かを判定する。ステップＳ４０７での判定が「ＹＥＳ」の場合には、図１６に示すステップＳ４１６に分岐する。ステップＳ４０７での判定が「ＮＯ」の場合には、図１３に示すステップＳ４０８に分岐して、キー入力がされたか否かを判定する。
【００１７】
ステップＳ４０８での判定が「ＹＥＳ」の場合には、キー入力処理を行う。ステップＳ４０８での判定が「ＮＯ」の場合には、その他の処理を行い、最後にステップＳ４０９でリモコン入力がされたか否かを判定する。
【００１８】
ステップＳ４０９での判定が「ＹＥＳ」の場合には、リモコン処理を行う。ステップＳ４０９での判定が「ＮＯ」の場合には、ステップＳ４０４に戻って使用者認証待ち状態になる。
【００１９】
図１４は、映像記録再生装置の録画モード処理動作を示すフローチャートである。図１４において、ステップＳ４１０で、ハードディスクの残量がしきい値以下かどうかを判定する。ステップＳ４１０でしきい値以下であると判定した場合には、録画モードが解除され、ステップＳ４０４に戻って使用者認証待ち状態になる。
【００２０】
ステップＳ４１０でしきい値以下でないと判定した場合には、ステップＳ４１１に分岐して、使用者に関連付けられている登録者暗号鍵情報を用いてコンテンツを暗号化しながら録画処理を行う。
【００２１】
ステップＳ４１２で録画しながらハードディスクの残量を監視し、残量が十分であればステップＳ４１３に分岐し、残量がなくなった場合には、ステップＳ４１４に分岐して録画を終了する。
【００２２】
ステップＳ４１３で、キー入力、リモコン入力、タイマー録画の終了時刻に到達等の録画終了要因が発生したか否かを判定し、ステップＳ４１３での判定が「ＹＥＳ」の場合には、ステップＳ４１４に分岐して録画を終了し、ステップＳ４０４に戻って使用者認証待ち状態になる。ステップＳ４１３での判定が「ＮＯ」の場合には、ステップＳ４１１に分岐して再び録画処理を行う。
【００２３】
図１５は、再生可能コンテンツ一覧表示モード処理動作を示すフローチャートである。図１５において、ステップＳ４１５で、蓄積されているすべてのコンテンツに関連付けられているコンテンツの記録日時、コンテンツ名、記録モードを一覧にして表示し、ステップＳ４０４に戻って使用者認証待ち状態になる。
【００２４】
図１６は、再生モード処理動作を示すフローチャートである。図１６において、ステップＳ４１６で再生処理を行う。そして、ステップＳ４１７で、キー入力、リモコン入力等の再生終了要因が発生したか否かを判定し、ステップＳ４１７での判定が「ＮＯ」の場合には、ステップＳ４１６に分岐して再び再生処理を行う。
【００２５】
ステップＳ４１７での判定が「ＹＥＳ」の場合には、ステップＳ４１８に分岐して再生を終了し、ステップＳ４０４に戻って使用者認証待ち状態になる。
【特許文献１】特開２００１−３２６８９８号公報
【特許文献２】特開２００２−３４４８７９号公報
【特許文献３】特開２００２−３１４９１１号公報
【非特許文献１】デジタルレコーダーNDR-XR1、[平成１６年５月７日検索]、インターネット＜ＵＲＬ：http://www.sony.jp/products/Consumer/cocoon/NDR-XR1/hdd.html＞
【発明の開示】
【発明が解決しようとする課題】
【００２６】
しかしながら、従来の映像記録再生方法では、リモコンによるデータの入力によって使用者を認証するという方法であるため、操作に手間がかかるという問題があった。
【００２７】
また、ある使用者が記録した映像情報の再生は、本人のみが再生可能なように設定するか、又は使用者全員が再生可能なように設定するかの２通りの選択しかできないため、例えば１０人の使用者の内５人に対して再生可能とするような設定ができないという問題があった。
【００２８】
そして、ある使用者が録画したコンテンツは、前記録画した使用者に割り当てられている記録媒体の容量に記録されるため、たとえそのコンテンツが使用者全員に対して再生可能であったとしても、コンテンツを録画した使用者だけが記録媒体の容量を負担して他の使用者は容量を負担しなくてもよくなり、録画した使用者と他の使用者との間で不公平感があるという問題があった。
【００２９】
さらに、記憶媒体がコンテンツで一杯になった場合、そのコンテンツを再生可能な人が実際に再生したか否かにかかわらず、自動的に古い順に削除されてしまうという問題があった。
【００３０】
本発明は、かかる点に鑑みてなされたものであり、その目的とするところは、映像の記録再生時における使用者の利便性を向上させるための映像記録再生方法を提供することにある。
【課題を解決するための手段】
【００３１】
すなわち、請求項１の発明は、映像を記録及び再生する映像記録再生装置を使用する者を示す使用者と、該使用者を認証するための使用者認証情報とを記憶した取り外し可能な記憶媒体を、前記映像記録再生装置に接続するステップと、
前記使用者と、前記映像記録再生装置に予め登録され前記映像記録再生装置を使用することができる者を示す登録者とを比較判定するとともに、前記使用者認証情報と、前記映像記録再生装置に予め登録され前記登録者を認証するための登録者認証情報とを比較判定するステップと、
前記比較判定により、前記使用者と前記登録者とが一致し、さらに前記使用者認証情報と前記登録者認証情報とが一致した場合には、前記使用者に対して前記映像記録再生装置の使用を許可する一方、前記比較結果が不一致の場合には、前記使用者に対して前記映像記録再生装置の使用を許可しないようにするステップとを備えることを特徴とする。
【００３２】
請求項２の発明は、請求項１に記載された映像記録再生方法において、
前記使用者が録画したコンテンツに関連付けて、前記コンテンツを再生することが可能な前記登録者を示すコンテンツ再生可能者として前記使用者を設定するステップと、
前記使用者が再生可能な前記コンテンツを選択して、前記コンテンツに関連付けられている録画日時、コンテンツ名、及び録画モードを少なくとも含む再生可能コンテンツ一覧を表示するステップと、
前記表示された再生可能コンテンツ一覧の中から、前記使用者が録画した前記コンテンツを選択し、前記コンテンツに対して他の登録者をコンテンツ再生可能者として設定するステップと、
前記使用者が再生可能な前記コンテンツに関連付けられている前記コンテンツ再生可能者の中から、前記使用者自身を削除するステップとをさらに備えることを特徴とする。
【００３３】
請求項３の発明は、請求項２に記載された映像記録再生方法において、
前記コンテンツの容量を、前記コンテンツ再生可能者の人数で割り算して均等化するステップと、
前記均等化したコンテンツ容量を、前記コンテンツ再生可能者として設定された前記登録者が使用可能な記録媒体の容量を示す登録者使用容量に対してそれぞれ割り当てるステップとをさらに備えることを特徴とする。
【００３４】
請求項４の発明は、請求項３に記載された映像記録再生方法において、
前記コンテンツ再生可能者が、前記コンテンツの蓄積されている領域の中でどの部分を再生したかを示すコンテンツ再生履歴情報を設定するステップと、
前記コンテンツ再生履歴情報を、前記再生可能コンテンツ一覧の中に含めて表示するステップとをさらに備えることを特徴とする。
【００３５】
請求項５の発明は、請求項４に記載された映像記録再生方法において、
前記記録媒体の空き容量がしきい値以下になったときに、前記コンテンツ再生可能者全員が再生済みのコンテンツを前記コンテンツ再生履歴情報から抽出して、前記抽出されたコンテンツを自動的に削除するステップをさらに備えることを特徴とする。
【００３６】
請求項６の発明は、請求項５に記載された映像記録再生方法において、
前記記録媒体の空き容量がしきい値以下になったときに、前記コンテンツ再生可能者全員が再生済みのコンテンツを前記コンテンツ再生履歴情報から抽出して、前記抽出されたコンテンツを自動的に異なる記録媒体に移動するステップをさらに備えることを特徴とする。
【発明の効果】
【００３７】
本発明に係る映像記録再生方法によれば、例えば、ＳＤカードのように、使用者、使用者認証情報を記憶した取り外し可能な記憶媒体を使用できるため、利便性の高い使用者認証処理が可能となる。
【００３８】
また、記録されたコンテンツにコンテンツ再生可能者を設定することができるため、詳細なコンテンツの再生管理が可能となる。
【００３９】
また、コンテンツの容量をコンテンツ再生可能者の人数分で割って均等に受け持つため、平等な記録媒体使用管理が可能となる。
【００４０】
また、記録媒体の空き容量がしきい値以下となったときに、自動的にコンテンツ再生履歴情報を参照して、すべてのコンテンツ再生可能者が再生済みのコンテンツを削除したり、接続されている光ディスクに移動することができるため、利便性の高い記録媒体使用管理が可能となる。
【発明を実施するための最良の形態】
【００４１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００４２】
図１は、本発明の実施形態における映像記録再生装置のブロック図である。図１において、１０１は指令入力部、１０２はＳＤカード入力部、１０３はＳＤカード、１０４は使用者、１０５は使用者認証情報、１０６は映像入力部、１０７はエンコーダ部、１０８は制御部、１０９はデコーダ部、１１０は映像出力部、１１１は記憶部、１１２は不揮発性記憶部、１１３は登録者（１）、１１４は登録者（１）認証情報、１１５は登録者（１）使用可能容量、１１６は登録者（２）、１１７は登録者（２）認証情報、１１８は登録者（２）使用可能容量、１１９は登録者（Ｎ）情報、１２０は登録者（Ｎ）認証情報、１２１は登録者（Ｎ）使用可能容量、１２２は登録者（１）使用容量、１２３は登録者（２）使用容量、１２４は登録者（Ｎ）使用容量、１２５はコンテンツ（Ａ）録画者、１２６はコンテンツ（Ｂ）録画者、１２７はコンテンツ（Ｎ）録画者、１２８はコンテンツ（Ａ）再生可能者、１２９はコンテンツ（Ｂ）再生可能者、１３０はコンテンツ（Ｎ）再生可能者、１３１はコンテンツ（Ａ）再生履歴情報、１３２はコンテンツ（Ｂ）再生履歴情報、１３３はコンテンツ（Ｎ）再生履歴情報、１３４はハードディスク、１３５はコンテンツ（Ａ）、１３６はコンテンツ（Ｂ）、１３７はコンテンツ（Ｎ）、１３８は光ディスクである。
【００４３】
前記制御部１０８は、前記不揮発性記憶部１１２に記憶されているプログラムに従って、指令入力部１０１、ＳＤカード入力部１０２、映像入力部１０６、エンコーダ部１０７、デコーダ部１０９、映像出力部１１０、記憶部１１１、不揮発性記憶部１１２、ハードディスク１３４、及び光ディスク１３８の制御を行う。
【００４４】
前記映像記録再生装置における映像記録処理は、外部機器から映像入力部１０６を通して入力されるアナログ映像信号をエンコーダ部１０７にてＭＰＥＧ２形式のデジタル映像信号に変換し、ハードディスク１３４にコンテンツとして蓄積することにより行う。
【００４５】
そして、映像再生処理は、ハードディスク１３４に蓄積されているＭＰＥＧ２形式のデジタル映像信号であるコンテンツをデコーダ部１０９にてアナログ映像信号に変換し、映像出力部１１０を通して外部機器に出力することにより行う。
【００４６】
さらに、映像ダビング処理は、ハードディスク１３４に蓄積されたコンテンツを光ディスク１３８に複製又は移動することにより行う。
【００４７】
また、各種データ設定処理は、リモコンを用いて行い、指令入力部１０１を通して入力される登録者（１）１１３、登録者（１）認証情報１１４、登録者（１）使用可能容量１１５、登録者（２）１１６、登録者（２）認証情報１１７、登録者（２）使用可能容量１１８、登録者（Ｎ）１１９、登録者（Ｎ）認証情報１２０、登録者（Ｎ）使用可能容量１２１、コンテンツ（Ａ）再生可能者１２８、コンテンツ（Ｂ）再生可能者１２９、及びコンテンツ（Ｎ）再生可能者１３０を不揮発性記憶部１１２に記憶することにより行う。
【００４８】
上記のように構成された映像記録再生装置の動作を図２に示すフローチャートに基づいて説明する。
【００４９】
図２において、電源投入後のステップＳ２０１で、使用者が初期設定を行うかどうか選択する。ステップＳ２０１で使用者が初期設定を行う場合には、ステップＳ２０２に分岐して、ステップＳ２０２で、映像記録再生装置を使用することが可能な人間を特定する登録者と、その登録者を認証するのに使用する登録者認証情報と、その使用者が使用可能な容量を定める登録者使用可能容量とを、使用者がリモコンを通して入力して不揮発性記憶部１１２に記憶し、ステップＳ２０３に進む。
【００５０】
また、ステップＳ２０１で使用者が初期設定を行わない場合には、ステップＳ２０３に分岐してＳＤカード入力による使用者認証待ち状態になる。
【００５１】
図１０は、ＳＤカード入力による使用者認証の手順を示すフローチャートである。図１０において、ステップＳ２４５で、使用者が本人の情報（使用者、使用者認証情報）を記録したＳＤカードを映像記録再生装置に挿入したか否かを判定する。ステップＳ２４５での判定が「ＹＥＳ」の場合には、ステップＳ２４６に分岐する。ステップＳ２４５での判定が「ＮＯ」の場合には、ＳＤカードを取り出したと判断し、ステップＳ２５０に分岐して使用者は登録者ではないと判断して使用者認証を終了する。
【００５２】
ステップＳ２４６で、ＳＤカードに記録されている使用者と機器に記憶されている登録者との比較判定を行う。ステップＳ２４６での判定が「ＹＥＳ」（合致している）の場合には、ステップＳ２４７に分岐する。ステップＳ２４６での判定が「ＮＯ」の場合には、ステップＳ２４９に分岐して使用者は登録者ではないと判断して使用者認証を終了する。
【００５３】
ステップＳ２４７で、使用者認証情報と登録者認証情報との比較判定を行う。ステップＳ２４７での判定が「ＹＥＳ」（合致している）の場合には、ステップＳ２４８に分岐して使用者は登録者であると判断して使用者認証を終了する。ステップＳ２４７での判定が「ＮＯ」の場合には、ステップＳ２４９に分岐して使用者は登録者ではないと判断して使用者認証を終了する。
【００５４】
上記のように使用者認証を行った後で、図２に示すように、ステップＳ２０３で、使用者がＳＤカードを映像記録再生装置に入力したときに、その使用者が登録者であるか否かを判定する。
【００５５】
ステップＳ２０３での判定が「ＮＯ」の場合には、再びＳＤカード入力による使用者認証待ち状態になる。ステップＳ２０３での判定が「ＹＥＳ」の場合には、ステップＳ２０４で録画モード処理を行うか否かを判定する。
【００５６】
ステップＳ２０４での判定が「ＹＥＳ」の場合には、図４に示すステップＳ２１０に分岐する。ステップＳ２０４での判定が「ＮＯ」の場合には、ステップＳ２０５に分岐する。
【００５７】
次に、ステップＳ２０５で、再生可能コンテンツ一覧表示モード処理を行うか否かを判定する。ステップＳ２０５での判定が「ＹＥＳ」の場合には、図５に示すステップＳ２１８に分岐する。ステップＳ２０５での判定が「ＮＯ」の場合には、ステップＳ２０６に分岐する。
【００５８】
そして、ステップＳ２０６で、再生モード処理を行うか否かを判定する。ステップＳ２０６での判定が「ＹＥＳ」の場合には、図７に示すステップＳ２３０に分岐する。ステップＳ２０６での判定が「ＮＯ」の場合には、ステップＳ２０７に分岐する。
【００５９】
次に、ステップＳ２０７で、ハードディスクの残量がしきい値以下かどうかを判定する。ステップＳ２０７での判定が「ＹＥＳ」の場合には、図８に示すステップＳ２３７に分岐する。ステップＳ２０７での判定が「ＮＯ」の場合には、図３に示すステップＳ２０８に分岐して、キー入力がされたか否かを判定する。
【００６０】
ステップＳ２０８での判定が「ＹＥＳ」の場合には、キー入力処理を行う。ステップＳ２０８での判定が「ＮＯ」の場合には、その他の処理を行い、最後にステップＳ２０９でリモコン入力がされたか否かを判定する。
【００６１】
ステップＳ２０９での判定が「ＹＥＳ」の場合には、リモコン入力処理を行う。ステップＳ２０９での判定が「ＮＯ」の場合には、ステップＳ２０３に戻ってＳＤカード入力による使用者認証待ち状態になる。
【００６２】
図４は、映像記録再生装置の録画モード処理動作を示すフローチャートである。図４において、ステップＳ２１０で、ハードディスクの残量がしきい値以下かどうかを判定する。ステップＳ２１０でしきい値以下であると判定した場合には、録画モードが解除され、ステップＳ２０３に戻って使用者認証待ち状態になる。
【００６３】
ステップＳ２１０でしきい値以下でないと判定した場合には、ステップＳ２１１に分岐して録画処理を行う。そして、録画しながらハードディスクの残量を監視し、ステップＳ２１２でハードディスクの残量がなくなったか否かを判定する。
【００６４】
ステップＳ２１２での判定が「ＹＥＳ」の場合には、ステップＳ２１４に分岐して録画終了となる。ステップＳ２１２での判定が「ＮＯ」の場合には、ステップＳ２１３に分岐して、ステップＳ２１３でキー入力、リモコン入力、タイマー録画の終了時刻に到達等の録画終了要因が発生したか否かを判定する。
【００６５】
ステップＳ２１３での判定が「ＹＥＳ」の場合には、ステップＳ２１４に分岐して録画を終了する。ステップＳ２１３での判定が「ＮＯ」の場合には、ステップＳ２１１に分岐して引き続き録画処理を行う。
【００６６】
録画終了後は、ステップＳ２１５で、録画した使用者を示すコンテンツ録画者に本使用者を割り当てて本コンテンツに関連付けして不揮発性記憶部１１２に記憶する。
【００６７】
そして、ステップＳ２１６で、前記コンテンツを再生することが可能な登録者を示すコンテンツ再生可能者に本使用者を割り当てて本コンテンツに関連付けして不揮発性記憶部１１２に記憶する。
【００６８】
さらに、ステップＳ２１７で、コンテンツ再生可能者がコンテンツの蓄積されている領域の中でどの部分を再生したかを示すコンテンツ再生履歴情報に初期値を割り当てて、本コンテンツ、本使用者に関連付けして不揮発性記憶部１１２に記憶し、ステップＳ２０３に戻って使用者認証待ち状態になる。
【００６９】
図５及び図６は、再生可能コンテンツ一覧表示モード処理動作を示すフローチャートである。図５において、ステップ２１８で、蓄積されているすべてのコンテンツに関連付けられているすべてのコンテンツ再生可能者の中から本使用者を検索する。
【００７０】
次に、ステップＳ２１９で、本使用者を含むすべてのコンテンツ再生可能者に関連付けられているすべてのコンテンツに関連付けられている記録日時、コンテンツ名、記録モード、コンテンツ再生可能者、コンテンツ再生履歴情報等を一覧にして表示する。
【００７１】
そして、ステップＳ２２０で、使用者が自分で録画した任意のコンテンツを他の登録者が再生することを許可するか否かを判定する。ステップＳ２２０での判定が「ＹＥＳ」の場合には、ステップＳ２２１に分岐して、該当するコンテンツに関連付けられるコンテンツ再生可能者に他の登録者を追加して不揮発性記憶部１１２に記憶する。ステップＳ２２０での判定が「ＮＯ」の場合には、ステップＳ２２５に分岐する。
【００７２】
ステップＳ２２２で、該当するコンテンツ、追加されたコンテンツ再生可能者に関連付けられるコンテンツ再生履歴情報に初期値を割り当てて不揮発性記憶部１１２に記憶する。
【００７３】
そして、ステップＳ２２３で、該当するコンテンツの容量をコンテンツ再生可能者の人数分で割り、ステップＳ２２４に進んで、コンテンツ再生可能者に設定されている登録者の登録者使用容量に均等に割り当てて不揮発性記憶部１１２に記憶する。
【００７４】
次に、ステップＳ２２５で、使用者が任意のコンテンツの再生可能の権利を放棄するか否かを判定する。ステップＳ２２５での判定が「ＹＥＳ」の場合には、ステップＳ２２６に分岐して、任意のコンテンツに関連付けられているコンテンツ再生可能者から自分を削除して不揮発性記憶部１１２に記憶する。そして、図６に示すステップＳ２２７に進む。ステップＳ２２５での判定が「ＮＯ」の場合には、ステップＳ２０３に戻って使用者認証待ち状態になる。
【００７５】
図６に示すステップＳ２２７で、該当するコンテンツ、使用者に関連付けられたコンテンツ再生履歴情報を削除する。
【００７６】
そして、ステップＳ２２８で、該当するコンテンツの容量をコンテンツ再生可能者の人数で割り算し、ステップＳ２２９で、コンテンツ再生可能者に設定されている登録者の登録者使用容量に均等に割り当てて不揮発性記憶部１１２に記憶し、ステップＳ２０３に戻って使用者認証待ち状態になる。
【００７７】
図７は、再生モード処理動作を示すフローチャートである。図７において、ステップＳ２３０で、再生するコンテンツの再生開始ポイントを記憶部１１１に記憶し、ステップＳ２３１で再生処理を行う。
【００７８】
そして、ステップＳ２３２で、キー入力、リモコン入力等の再生終了要因が発生したか否かを判定し、ステップＳ２３２での判定が「ＹＥＳ」の場合には、ステップＳ２３３に分岐して録画を終了する。ステップＳ２３２での判定が「ＮＯ」の場合には、ステップＳ２３１に分岐して再び再生処理を行う。
【００７９】
再生終了後は、ステップＳ２３４で、再生終了ポイントを記憶部１１１に記憶する。そして、ステップＳ２３５で、開始ポイントから終了ポイントまでの領域と本コンテンツの本使用者によるコンテンツ再生履歴情報との論理和をとり、ステップＳ２３６で、本コンテンツの本使用者によるコンテンツ再生履歴情報を更新して不揮発性記憶部１１２に記憶し、ステップＳ２０３に戻って使用者認証待ち状態になる。
【００８０】
図８及び図９は、ハードディスクの残量がしきい値以下である場合の処理を示すフローチャートである。図８において、ステップＳ２３７で、光ディスクが挿入されているかどうかを判定する。
【００８１】
ステップＳ２３７での判定が「ＹＥＳ」の場合には、図９に示すステップＳ２４１に分岐する。ステップＳ２３７での判定が「ＮＯ」の場合には、ステップＳ２３８に分岐して、本使用者が録画したすべてのコンテンツの中からコンテンツを再生することが可能な登録者全員がコンテンツのすべての部分を再生した履歴のあるコンテンツをコンテンツ再生履歴情報を参照して検索し、ステップＳ２３９で検索されたコンテンツを削除する。
【００８２】
そして、ステップＳ２４０で、削除されたコンテンツに関連付けられたコンテンツ再生可能者、コンテンツ再生履歴情報を削除し、ステップＳ２０３に戻って使用者認証待ち状態になる。
【００８３】
ステップＳ２４１で、本使用者が録画したすべてのコンテンツの中からコンテンツを再生することが可能な登録者全員がコンテンツのすべての部分を再生した履歴のあるコンテンツをコンテンツ再生履歴情報を参照して検索し、ステップＳ２４２で、検索したコンテンツの全容量と光ディスクの空き容量とを比較し、光ディスクに録画可能な空き容量があるかどうかを判定する。
【００８４】
ステップＳ２４２での判定が「ＹＥＳ」の場合には、ステップＳ２４３に分岐して検索したコンテンツを光ディスクに移動し、ステップＳ２４４で、移動されたコンテンツに関連付けられたコンテンツ再生可能者、コンテンツ再生履歴情報を削除し、ステップＳ２０３に戻って使用者認証待ち状態になる。ステップＳ２４２での判定が「ＮＯ」の場合には、図８に示すステップＳ２３９に分岐する。
【産業上の利用可能性】
【００８５】
以上説明したように、本発明は、記録媒体に蓄積されたコンテンツ毎に再生可能者を設定することで、より詳細なコンテンツの再生管理を行うことができるという実用性の高い効果が得られることから、きわめて有用で産業上の利用可能性は高い。
【図面の簡単な説明】
【００８６】
【図１】本発明の実施形態における映像記録再生装置のブロック図である。
【図２】本発明の実施形態における映像記録再生装置の主要部を示すフローチャート図である。
【図３】本発明の実施形態における映像記録再生装置の一部を示すフローチャート図である。
【図４】本発明の実施形態における映像記録再生装置の録画モード処理を示すフローチャート図である。
【図５】本発明の実施形態における映像記録再生装置の再生可能コンテンツ一覧表示モード処理を示すフローチャート図である。
【図６】本発明の実施形態における映像記録再生装置の再生可能コンテンツ一覧表示モード処理を示すフローチャート図である。
【図７】本発明の実施形態における映像記録再生装置の再生モード処理を示すフローチャート図である。
【図８】本発明の実施形態における映像記録再生装置のハードディスクの残量がしきい値以下のときの処理を示すフローチャート図である。
【図９】本発明の実施形態における映像記録再生装置のハードディスクの残量がしきい値以下のときの処理を示すフローチャート図である。
【図１０】本発明の実施形態における映像記録再生装置のＳＤカード入力による使用者認証の手順を示すフローチャート図である。
【図１１】従来の映像記録再生装置のブロック図である。
【図１２】従来の映像記録再生装置のフローチャート図の主要部である。
【図１３】従来の映像記録再生装置のキー入力及びリモコン入力処理を示すフローチャート図である。
【図１４】従来の映像記録再生装置の録画モード処理を示すフローチャート図である。
【図１５】従来の映像記録再生装置の再生可能コンテンツ一覧表示モード処理を示すフローチャート図である。
【図１６】従来の映像記録再生装置の再生モード処理を示すフローチャート図である。
【符号の説明】
【００８７】
１０１    指令入力部
１０２    ＳＤカード入力部
１０３    ＳＤカード
１０４    使用者
１０５    使用者認証情報
１０６    映像入力部
１０７    エンコーダ部
１０８    制御部
１０９    デコーダ部
１１０    映像出力部
１１１    記憶部
１１２    不揮発性記憶部
１１３    登録者（１）
１１４    登録者（１）認証情報
１１５    登録者（１）使用可能容量
１１６    登録者（２）
１１７    登録者（２）認証情報
１１８    登録者（２）使用可能容量
１１９    登録者（Ｎ）
１２０    登録者（Ｎ）認証情報
１２１    登録者（Ｎ）使用可能容量
１２２    登録者（１）使用容量
１２３    登録者（２）使用容量
１２４    登録者（Ｎ）使用容量
１２５    コンテンツ（Ａ）録画者
１２６    コンテンツ（Ｂ）録画者
１２７    コンテンツ（Ｎ）録画者
１２８    コンテンツ（Ａ）再生可能者
１２９    コンテンツ（Ｂ）再生可能者
１３０    コンテンツ（Ｎ）再生可能者
１３１    コンテンツ（Ａ）再生履歴情報
１３２    コンテンツ（Ｂ）再生履歴情報
１３３    コンテンツ（Ｎ）再生履歴情報
１３４    ハードディスク
１３５    コンテンツ（Ａ）
１３６    コンテンツ（Ｂ）
１３７    コンテンツ（Ｎ）
１３８    光ディスク
【図１】
2005332457.tif 000003
【図２】
2005332457.tif 000004
【図３】
2005332457.tif 000005
【図４】
2005332457.tif 000006
【図５】
2005332457.tif 000007
【図６】
2005332457.tif 000008
【図７】
2005332457.tif 000009
【図８】
2005332457.tif 000010
【図９】
2005332457.tif 000011
【図１０】
2005332457.tif 000012
【図１１】
2005332457.tif 000013
【図１２】
2005332457.tif 000014
【図１３】
2005332457.tif 000015
【図１４】
2005332457.tif 000016
【図１５】
2005332457.tif 000017
【図１６】
2005332457.tif 000018